(57)【要約】【課題】ファンの排気側の空気流路から放出される騒音を抑制でき、しかも吸音部のメンテナンス性に優れた電動バキュームを提供する。【解決手段】本体ハウジングにファンが内蔵され、該ファンの排気側の空気流路に吸音部を備えた電動バキュームであって、吸音部は、空気流路の壁面を構成する内壁の外側に吸音室を備えた構成であって、内壁には空気流路と吸音室とを連通する連通孔７０が形成され、吸音室には吸音材６２が介装されており、内壁と吸音材６２は、本体ハウジングに対して一体的に着脱可能な吸音ユニットＵＳを構成している。【選択図】図４
2019010225.tif 000002
【特許請求の範囲】
【請求項１】
本体ハウジングにファンが内蔵され、該ファンの排気側の空気流路に吸音部を備えた電動バキュームであって、
吸音部は、空気流路の壁面を構成する内壁の外側に吸音室を備えた構成であって、内壁には空気流路と吸音室とを連通する連通孔が形成され、吸音室には吸音材が介装されており、
内壁と吸音材は、本体ハウジングに対して一体的に着脱可能な吸音ユニットを構成していることを特徴とする電動バキューム。
【請求項２】
吸音ユニットは、筒状の内壁と、該内壁との間に吸音室を形成すべく内壁の外側に離間して位置する筒状の外壁と、吸音室に介装された吸音材とを備えており、
吸音ユニットは、本体ハウジングに着脱可能に取り付けるためのユニット取付部を外壁の上流側の端部に備えており、内壁と吸音材は、外壁の上流側の端部から外壁の内側に挿入離脱される請求項１記載の電動バキューム。
【請求項３】
本体ハウジングには、落ち葉等の塵芥を溜めるための塵芥収容体が着脱可能に取り付けられ、本体ハウジングに塵芥収容体が取り付けられた状態において塵芥収容体の内側に吸音ユニットが位置する請求項１又は２記載の電動バキューム。
【発明の詳細な説明】
【技術分野】
【０００１】
本発明は、落ち葉等の塵芥を吸い込むための電動バキュームに関する。
【背景技術】
【０００２】
例えば下記特許文献１のような電動バキュームでは、ファンの回転によって空気流を発生させて落ち葉等の塵芥を吸引するため、騒音の問題が生じる。特に、ファンの排気側では、空気流が乱流となりやすく、作業者に近い位置にもなることから、ファンの吸気側に比して騒音の問題が大きい。
【０００３】
そこで、ファンの排気側の空気流路に吸音部を設けることが考えられる。しかしながら、ファンの排気側の空気流路を流れる空気流は高い圧力となりやすく、吸音部が塵芥の衝突等によって摩耗や破損しやすく、吸音能力も低下しやすい。そのため、吸音部を容易にメンテナンスできる構造が求められる。
【先行技術文献】
【特許文献】
【０００４】
【特許文献１】特開２００６−３４６１９９号公報
【発明の概要】
【発明が解決しようとする課題】
【０００５】
それゆえに本発明は上記従来の問題点に鑑みてなされ、ファンの排気側の空気流路から放出される騒音を抑制でき、しかも吸音部のメンテナンス性に優れた電動バキュームを提供することを課題とする。
【課題を解決するための手段】
【０００６】
本発明は上記課題を解決すべくなされたものであって、本発明に係る電動バキュームは、本体ハウジングにファンが内蔵され、該ファンの排気側の空気流路に吸音部を備えた電動バキュームであって、吸音部は、空気流路の壁面を構成する内壁の外側に吸音室を備えた構成であって、内壁には空気流路と吸音室とを連通する連通孔が形成され、吸音室には吸音材が介装されており、内壁と吸音材は、本体ハウジングに対して一体的に着脱可能な吸音ユニットを構成していることを特徴とする。
【０００７】
該構成の電動バキュームでは、排気側の空気流路に吸音部が設けられているので、効率良く吸音することができる。また、内壁と吸音材が、本体ハウジングに対して一体的に着脱可能な吸音ユニットを構成しているので、摩耗等しやすい内壁や吸音材を本体ハウジングから一括的に取り外すことができて、内壁や吸音材を清掃したり交換したりすることができる。
【０００８】
特に、吸音ユニットは、筒状の内壁と、該内壁との間に吸音室を形成すべく内壁の外側に離間して位置する筒状の外壁と、吸音室に介装された吸音材とを備えており、吸音ユニットは、本体ハウジングに着脱可能に取り付けるためのユニット取付部を外壁の上流側の端部に備えており、内壁と吸音材は、外壁の上流側の端部から外壁の内側に挿入離脱されることが好ましい。該構成によれば、空気流路の周囲に吸音部を容易に設けることができ、吸音部の大面積化が可能になり、大きな吸音効果が得られる。また、外壁の上流側の端部にユニット取付部を設けることにより、吸音ユニットを本体ハウジングに容易に着脱できる。そして、外壁の上流側の端部から内壁と吸音部とを挿入したり離脱させたりできる構成とすることで、内壁や吸音材が不用意に外れにくくなって、確実な装着状態が得られる。
【０００９】
更に、本体ハウジングには、落ち葉等の塵芥を溜めるための塵芥収容体が着脱可能に取り付けられ、本体ハウジングに塵芥収容体が取り付けられた状態において塵芥収容体の内側に吸音ユニットが位置することが好ましい。このように吸音ユニットが塵芥収容体の内側に位置することによって吸音部が塵芥収容体で覆われることになるため、騒音が外部により一層漏れにくくなる。
【発明の効果】
【００１０】
以上のように、ファンの排気側の空気流路に吸音部を設けることで空気流路から放出される騒音を効果的に抑制できる。しかも吸音部を構成している内壁と吸音材が吸音ユニットとしてユニット化されていて本体ハウジングに対して一体的に着脱できるので、吸音部のメンテナンス性に優れている。
【図面の簡単な説明】
【００１１】
【図１】本発明の第一の実施形態における電動バキュームを示す正面図であって、ダストバッグを取り付けた状態を示す。
【図２】同電動バキュームの正面図であって、ダストバッグを取り外した状態を示す。
【図３】同電動バキュームの要部断面図であって、ダストバッグを取り付けた状態を示す。
【図４】同電動バキュームの吸音ユニットを分解した状態を示す斜視図。
【図５】同電動バキュームの要部断面図であって、（ａ）は吸音ユニットを取り付けた状態を示し、（ｂ）は吸音ユニットを取り外した状態を示す。
【図６】同電動バキュームの吸音ユニットを示し、（ａ）は平面図、（ｂ）は（ａ）のＡ−Ａ断面図。
【図７】本発明の第二の実施形態における電動バキュームの要部を示す正面図であって、（ａ）はダストバッグを取り付けた状態を示し、（ｂ）はダストバッグを取り外した状態を示す。
【図８】同電動バキュームの要部断面図であって、ダストバッグを取り付けた状態を示す。
【図９】同電動バキュームの要部斜視図であって、ダストバッグを取り外した状態を示し、（ａ）は吸音ユニットの装着状態を示し、（ｂ）は一方の吸音ユニットを取り外した状態を示す。
【図１０】図８のＢ−Ｂ断面図。
【図１１】図７（ｂ）のＣ−Ｃ断面図。
【図１２】同吸音ユニットの吸音ケースを示し、（ａ）は正面図、（ｂ）は（ａ）のＤ−Ｄ断面図。
【発明を実施するための形態】
【００１２】
＜第一の実施形態＞
以下、本発明の第一の実施形態に係る電動バキュームについて図１〜図６を参酌しつつ説明する。本実施形態の電動バキュームは、落ち葉等の塵芥を吸引して粉砕するバキューム機能（吸い込み機能）の他に、落ち葉等の塵芥に空気を吹き付けて塵芥を一箇所に寄せ集めるためのブロワ機能（吹き寄せ機能）も有しており、電動ブロワバキュームとも称されるものである。電動バキュームは、塵芥を吸い込むための空気流や塵芥に向けて送風するための空気流を発生させるためのファン５を備えていると共に、その空気流が通る空気流路を備えている。
【００１３】
電動バキュームは、吸気口１０と、集塵用の排気口１１と、ブロワ用の排気口１２とを有していて、空気流路は、吸気口１０と二つの排気口１１，１２との間を結んでいる。図３のように空気流路の途中にファン５が配置されている。ファン５はモータ４によって駆動され、ファン５が回転することで空気流が発生する。尚、図１〜図３、図５では、モータ４やファン５の回転中心軸が前後方向に水平に延びている状態を図示しており、この状態を基準状態として以下説明する。尚、本実施形態では電源コード６を有する構成であるが、バッテリパックを備えたコードレスの構成であってもよい。
【００１４】
空気流路の途中にファン５が配置されていることから、空気流路は、ファン５よりも上流側の区間とファン５よりも下流側の区間に区分される。空気流路の全長のうちファン５より上流側の区間を吸気側の空気流路１３と称し、空気流路のうちファン５より下流側の区間を排気側の空気流路と称する。吸気口１０からファン５までの区間が吸気側の空気流路１３であり、ファン５から集塵用の排気口１１までの区間、及び、ファン５からブロワ用の排気口１２までの区間が排気側の空気流路である。
【００１５】
排気側の空気流路は途中で二つに分岐していて、その一方は集塵用の排気口１１に向い、他方はブロワ用の排気口１２に向かう。排気側の空気流路の分岐点には切替弁としての切替ドラム７が設けられている。切替ドラム７は左右方向の軸線回りに回転する構成であって、切替ドラム７を回転操作することでバキューム機能とブロワ機能を切り替えることができる。
【００１６】
切替ドラム７はファン５の下側に所定距離離間した位置に配置されており、排気側の空気流路は、ファン５から切替ドラム７までの間は一本の経路であって、切替ドラム７から下流側は二本に分岐している。切替ドラム７で二本に分岐した排気側の空気流路のうち、一方は集塵用の排気口１１まで延びていて、他方はブロワ用の排気口１２まで延びている。従って、排気側の空気流路は、ファン５から切替ドラム７までの共通区間１４と、切替ドラム７の出口から集塵用の排気口１１までの集塵区間１５と、切替ドラム７の出口からブロワ用の排気口１２までのブロワ区間１６とから構成されている。図３及び図５は切替ドラム７を集塵側にセットした状態を示しており、ブロワ用の排気口１２へ向かうブロワ区間１６は切替ドラム７によって遮断されていて、共通区間１４を通ってきた空気流は全て集塵区間１５へと流れて集塵用の排気口１１へ向う。
【００１７】
電動バキュームは、バキューム本体１と、該バキューム本体１のバッグ取付部２０に着脱自在に取り付けられるダストバッグ２とを備えている。図１及び図３はバキューム本体１にダストバッグ２を取り付けた状態を示しており、図２はバキューム本体１からダストバッグ２を取り外した状態を示している。
【００１８】
＜バキューム本体１＞
バキューム本体１は、後側から前側に向けて斜め下側に延びるノズル部１７を備えている。ノズル部１７の内部の上部にはノズル部１７に沿って吸気側の空気流路１３が直線状に形成されており、ノズル部１７の前端部の上部に吸気口１０が開口している。吸気側の空気流路１３の下側にはブロワ区間１６が吸気側の空気流路１３と並列的に延びており、ノズル部１７の前端部の下部にブロワ用の排気口１２が開口している。従って、吸気口１０とブロワ用の排気口１２は上下に並んでいる。尚、バキューム本体１は、後述するように左右二つ割り構成のハウジングが互いに接合一体化されて形成されている。
【００１９】
バキューム本体１の上部には、後側に位置するメインハンドル部１８と、その前側に位置するサブハンドル部１９を備えている。サブハンドル部１９はノズル部１７の後端部の上側に位置し、メインハンドル部１８はバキューム本体１の最後部に位置する。サブハンドル部１９とメインハンドル部１８の間の上面に、モータ４を作動、停止させるためのスイッチ２１が設けられている。
【００２０】
メインハンドル部１８の下側にモータ４が配置されている。モータ４は前後方向に延びる軸線回りに回転する。モータ４の前側にファン５が取り付けられていて、モータ４とファン５は同一線上にある。モータ４及びファン５の回転中心軸に対してノズル部１７は斜め下側に傾斜しており、ノズル部１７の後端部の後側にファン５が位置している。ファン５の回転方向は、前側から見たときにおいて反時計回りであって、ファン５が回転すると、吸気口１０から空気が吸い込まれてファン５に向かう。ファン５は、前側から来た空気を径方向外側に排出すると共に、吸気口１０から吸い込んだ落ち葉等の塵芥を粉砕して空気と共に下流に送る。
【００２１】
ファン５の周囲にはファン５の周囲を略一周分に亘って周回する空気流路が形成されている。該ファン５を周回する空気流路は、排気側の空気流路のうちの上流側の区間であって共通区間１４となっている。共通区間１４は、ファン５の下側位置において切替ドラム７に達する。切替ドラム７から下側に向けて集塵区間１５が延びていて、集塵用の排気口１１が下側に開口している。一方、切替ドラム７からブロワ区間１６が前側に向けて延びている。ブロワ区間１６は、切替ドラム７を前側に出た後にやや上側に向かい、その後、ノズル部１７に沿って前側に向けて徐々に下降している。ブロワ区間１６は、ノズル部１７の内部のうちの下部を占めている。ダストバッグ２が取り付けられるバッグ取付部２０は、バキューム本体１の下部にあって、集塵区間１５の上部の周囲に設けられている。従って、バキューム本体１のバッグ取付部２０は、集塵用の排気口１１よりも上側に位置している。
【００２２】
＜塵芥収容体＞
ダストバッグ２は、ファン５によって粉砕された落ち葉等の塵芥を濾過して集めるためにバキューム本体１に取り付けられる。ダストバッグ２は、取り付けホルダ３を介してバキューム本体１に取り付けられる。従って、本実施形態において塵芥収容体は、塵芥を溜めるためのダストバッグ２と、該ダストバッグ２をバキューム本体１のバッグ取付部２０に着脱自在に取り付けるための取り付けホルダ３とから構成される。
【００２３】
＜ダストバッグ２＞
ダストバッグ２は、上端部に開口部を有し、下端部に底部を有する袋形状であり、柔軟性と通気性とを有している。ダストバッグ２の後部には、廃棄口（図示省略）を開閉させるためのファスナー３０が設けられている。ファスナー３０は上下方向に開閉し、本実施形態では、下側にスライドさせると開き、上側にスライドさせると閉じる構成である。ファスナー３０を開けることにより、ダストバッグ２に溜まった塵芥を廃棄口から取り出して他のゴミ袋に入れ替えて廃棄処分することができる。
【００２４】
ダストバッグ２は、バキューム本体１のノズル部１７の下面に設けられたフック２２に引っ掛けることができるリング３１を前部に備えている。リング３１は取り付けベルト３２によってダストバッグ２の外面に取り付けられている。リング３１は種々の形状であってよく、例えばバックルを使用することができる。
【００２５】
＜取り付けホルダ３＞
取り付けホルダ３は、上下方向に貫通する筒状であって、バキューム本体１のバッグ取付部２０に下側から取り付けられる。取り付けホルダ３はバッグ取付部２０の外側を覆った状態となる。塵芥収容体がバキューム本体１に取り付けられた状態において、バキューム本体１の集塵区間１５は取り付けホルダ３の内側を貫通して取り付けホルダ３よりも下側に所定長さ突出した状態となる。即ち、塵芥収容体がバキューム本体１に取り付けられた状態において、集塵用の排気口１１は、取り付けホルダ３よりも下側に位置して、ダストバッグ２の内側に入り込んだ状態となる。
【００２６】
取り付けホルダ３は、前後一対のホルダ係止部３３，３４を備えていて、バキューム本体１のバッグ取付部２０は、取り付けホルダ３のホルダ係止部３３，３４を係止するための前後一対の本体係止部２３，２４を備えている。前側のホルダ係止部３３は、前側の本体係止部２４に係止されて、取り付け、取り外しの際に回動支点となる。後側のホルダ係止部３４は後側の本体係止部２５に係止され、取り付けホルダ３の操作部３５を下側に向けて押すことによって係止状態を解除できる構成となっている。取り付けホルダ３をバキューム本体１に着脱する際には、前側のホルダ係止部３３を前側の本体係止部２４に係止して、前側のホルダ係止部３３と前側の本体係止部２４を回動支点として取り付けホルダ３を左右方向の軸線まわりに上下に回動させる。取り付けホルダ３は、後側に向けて延びるホルダハンドル３６を備えており、バキューム本体１に着脱する際にそのホルダハンドル３６を把持できる。
【００２７】
＜ハウジングの構成＞
バキューム本体１は、本体ハウジングと、該本体ハウジングに着脱可能に取り付けられる吸音ユニットＵＳとを備えている。本体ハウジングは、ファン５やモータ４等を収容する収容空間を形成すると共に空気流路の主要部を形成している。本体ハウジングは、合成樹脂製であって射出成形によって形成される。本体ハウジングは、メインハウジング４１，４２とノズルハウジング４３，４４という二つの部分から構成されている。メインハウジング４１，４２とノズルハウジング４３，４４は互いに別体であって別部品として構成されている。ノズルハウジング４３，４４はノズル部１５を構成していて、メインハウジング４１，４２の前側に開口する開口部に挿入されてメインハウジング４１，４２と一体となる。メインハウジング４１，４２は、ファン５やモータ４を収容する部分、メインハンドル部１６及びサブハンドル部１７、排気側の空気流路のうちの共通区間１４、及び、バッグ取付部２０を備えていて、メインハウジング４１，４２に吸音ユニットＵＳが着脱される。排気側の空気流路のうちの集塵区間１５は吸音ユニットＵＳに形成されている。
【００２８】
メインハウジング４１，４２とノズルハウジング４３，４４は、何れも左右二つ割の構成である。メインハウジング４１，４２は、左右二分割構成の第一メインハウジング４１と第二メインハウジング４２が互いに接合されて構成され、ノズルハウジング４３，４４は、左右二分割構成の第一ノズルハウジング４３と第二ノズルハウジング４４が互いに接合されて構成されている。メインハウジング４１，４２には第一メインハウジング４１と第二メインハウジング４２との接合部４５（図４参照）が形成されており、同様に、ノズルハウジング４３，４４には、第一ノズルハウジング４３と第二ノズルハウジング４４との接合部４９（図４参照）が形成されている。尚、図３は、接合部４５，４９において切断した状態の断面図である。従って、図３には、メインハウジング４１，４２とノズルハウジング４３，４４のうち、後側から見て向かって左側に位置する第一メインハウジング４１と第一ノズルハウジング４３のみが図示されていて、後側から見て向かって右側に位置する第二メインハウジング４２と第二ノズルハウジング４４は図示されていない。接合部４５，４９は接合方向（左右方向）と直交する平面を接合面として備えている。
【００２９】
＜吸音部＞
空気流路の外側には、空気流路における音を吸音するための吸音部が設けられている。吸音部は、空気流路の壁面を構成する内壁と、該内壁の外側に離間して設けられた外壁とを備えた二重壁構造である。吸音部の内壁と外壁との間に吸音室が形成され、該吸音室には吸音材が介装され、吸音部の内壁には、空気流路と吸音室とを連通する連通孔が多数形成されている。吸音部は、吸気側の空気流路１３と排気側の空気流路にそれぞれ設けられている。
【００３０】
＜吸気側の吸音部５０＞
図３のように吸気側の吸音部５０は本体ハウジングに設けられている。吸気側の吸音部５０は、吸気側の空気流路１３に沿って設けられていて、吸気側の空気流路１３の上側と下側にそれぞれ設けられている。吸音部５０は、空気流路１３の壁面を構成している内壁５１と、該内壁５１の外側に離間して設けられた外壁５２とを備えた二重壁構造となっており、内壁５１と外壁５２との間に吸音室５３が形成されている。吸音室５３は空気流路１３に沿って長い形状である。吸音室５３にはスポンジからなる吸音材５４が充填されている。吸音材５４であるスポンジは板状のものを所定サイズにカットして用いることが好ましく、吸音室５３の形状に沿って湾曲させたりすることができる。
【００３１】
吸音部５０は、接合部４９を左右に跨ぐようにして形成されている。吸音部５０の内壁５１と外壁５２は、何れも第一ノズルハウジング４３と第二ノズルハウジング４４に分割されて構成されており、第一ノズルハウジング４３と第二ノズルハウジング４４とが接合されることで、吸音室５３が区画形成される。吸音材５４も左右二分割されて第一ノズルハウジング４３の吸音室５３の半室部分と第二ノズルハウジング４４の吸音室５３の半室部分にそれぞれ挿入されている。尚、吸音部５０の内壁５１は、第一ノズルハウジング４３や第二ノズルハウジング４４に一体的に形成されていてもよいし、第一ノズルハウジング４３や第二ノズルハウジング４４とは別部材で構成されていてもよい。
【００３２】
吸気側の空気流路１３の上側に設けられた吸音部５０は前後四つの領域に区分されており、それぞれ独立した四つの吸音室５３を有している。四つの吸音室５３は、それぞれ吸気側の空気流路１３に沿って長い形状であって前後に直列に並んでおり、前後に隣り合う吸音室５３同士の間には内壁５１と外壁５２とを連結する隔壁５５が形成されている。吸気側の空気流路１３の下側に設けられた吸音部５０は、ブロワ区間１６との間に位置しており、吸気側の空気流路１３とブロワ区間１６とを区画している境界部分に形成されている。吸気側の空気流路１３の下部に設けられた吸音部５０は隔壁５５を介して前後二つの領域に区分されており、それぞれ独立した二つの吸音室５３を有している。二つの吸音室５３は、それぞれ吸気側の空気流路１３に沿って長い形状であって前後に直列に並んでいる。
【００３３】
吸音部５０の内壁５１には、空気流路１３と吸音室５３とを連通する図示しない連通孔が多数形成されている。連通孔は、吸音部５０の内壁５１のうち隔壁５５に対応した部分を除く略全体に亘って形成されている。換言すれば、各吸音室５３に対応した内壁５１の部分の全体に亘って多数の連通孔が形成されている。連通孔は、全て接合部４９から離間した位置に設けられていることが好ましく、接合部４９を跨ぐようには形成されないことが好ましい。
【００３４】
＜排気側の吸音部、吸音ユニットＵＳ＞
排気側の吸音部は、排気側の空気流路のうち集塵区間１５に設けられている。排気側の吸音部は吸音ユニットＵＳによって構成されている。図４及び図５のように吸音ユニットＵＳはメインハウジング４１，４２に着脱可能に取り付けられる。吸音ユニットＵＳの中央部には上下方向に貫通する貫通孔が形成されており、この貫通孔が集塵区間１５を構成している。吸音ユニットＵＳの上端開口部は切替ドラム７の出口に近接され、吸音ユニットＵＳの下端開口部は集塵用の排気口１１となっている。吸音ユニットＵＳがメインハウジング４１，４２から分離できる構成であることから、集塵区間１５も共通区間１４から分離できる。吸音ユニットＵＳはメインハウジング４１，４２の下端部に下側に突出した状態で取り付けられ、集塵区間１５は、メインハウジング４１，４２の下端部から下側に向けて略垂直に突出するように延びる。
【００３５】
吸音ユニットＵＳは、図６（ａ）のように全体として角形の筒状であって、詳細には、平面視あるいは軸線方向に見た場合において、長方形状となっている。吸音ユニットＵＳは長方形の長辺方向が左右方向となり短辺方向が前後方向となるようにしてメインハウジング４１，４２に装着される。
【００３６】
吸音ユニットＵＳは、図４や図６（ｂ）に示しているように、外ケース６０と、該外ケース６０に挿入される内筒体６１と、外ケース６０と内筒体６１との間に介装される吸音材６２とから構成されている。外ケース６０と内筒体６１との間に全周に亘って連続した吸音室７５が形成され、その吸音室７５に吸音材６２が位置する。外ケース６０は上面開口のボックス状である。外ケース６０は、長方形状の底面部６３と、該底面部６３の周縁部から上側に延びる長方形状の断面形状を有する側面部６５ａ，６５ｂとを有している。底面部６３の中央部には長方形状の貫通孔６４が形成されており、該貫通孔６４の開口縁部には上側に向けて嵌合筒部６６が突設されている。外ケース６０の側面部６５ａ，６５ｂが吸音部の筒状の外壁を構成し、底面部６３が吸音室７５の下端を閉じる区画壁を構成している。側面部６５ａ，６５ｂは、互いに対向した一対の長辺側の側面部６５ａと、互いに対向した一対の短辺側の側面部６５ｂとから構成されている。
【００３７】
側面部６５ａ，６５ｂの上端部近傍の外面には一対のユニット取付部６７が外側に向けて突設されている。ユニット取付部６７には上下方向に貫通する貫通孔が形成されていてその貫通孔をネジ７７が挿通できる。一対のユニット取付部６７は、一対の長辺側の側面部６５ａの中央部にそれぞれ形成されていて、互いに対向関係にある。ユニット取付部６７は、吸音ユニットＵＳをメインハウジング４１，４２に取り付けるための部分である。また、一対の短辺側の側面部６５ｂの上端中央部には、それぞれ係止片６８が互いに対向するようにして形成されている。係止片６８はその両側に形成されたスリットによって係止片６８の両側の部分が側面部６５ｂに対して分離されている。係止片６８は上下方向に所定長さ延びた帯状であって、その下端部を固定端としその上端部を自由端として内外方向に弾性変形できる。係止片６８の上端部の外面には、外側に向けて係止部６８ａが突設されている。
【００３８】
内筒体６１は、全体として長方形状の角形の筒状である。内筒体６１は、角形の筒部６９を有していて、その筒部６９に多数の連通孔７０が形成されている。筒部６９の四面共にその略全体に亘って多数の連通孔７０が形成されている。連通孔７０によって集塵区間１５と吸音室７５とが連通される。角形の筒部６９が吸音部の筒状の内壁を構成すると共に、集塵区間１５の壁面の全体を構成する。筒部６９の外側に外ケース６０の側面部６５ａ，６５ｂが離間して位置することで、筒部６９と外ケース６０の側面部６５ａ，６５ｂとの間に全周に亘って連続した吸音室７５が形成される。連通孔７０の形状や配置は任意であるが、本実施形態では、六角形状であって千鳥状に配置されている。筒部６９の上端部近傍には外側に向けてフランジ部７１が全周に亘って形成されている。該フランジ部７１の外周縁部には上側に向けて上部嵌合筒部７２が突設されていて、その上部嵌合筒部７２の上端部には外側に向けて水平端部７３が周設されている。上部嵌合筒部７２は外ケース６０の側面部６５ａ，６５ｂの上端部の内側に嵌合し、水平端部７３は外ケース６０の側面部６５ａ，６５ｂの上端面に当接する。フランジ部７１は、外ケース６０の底面部６３と上下対向関係にあって、フランジ部７１が吸音室７５の上端を閉じる区画壁を構成している。筒部６９の下端部には一段大径とされた下部嵌合筒部７４が形成されており、該下部嵌合筒部７４が外ケース６０の嵌合筒部６９の外側に嵌合する。
【００３９】
外ケース６０の側面部６５ａ，６５ｂと内筒体６１の筒部６９との間に環状の吸音室７５が形成され、該吸音室７５は外ケース６０の底面部６３と内筒体６１のフランジ部７１によって上下閉塞される。吸音室７５にはスポンジからなる吸音材６２が充填される。吸音材６２は、吸音室７５の形状に合わせて角形の筒状とされている。尚、吸音材６２は、成形等によって筒状に一体的に形成された構成であってもよいし、例えば所定幅の板状の吸音材６２を丸めて筒状としたものであってもよい。吸音材６２を外ケース６０の側面部６５ａ，６５ｂの内側に挿入した状態で内筒体６１を外ケース６０に挿入してもよいし、内筒体６１の筒部６９の外側に吸音材６２を装着しておき、内筒体６１と吸音材６２をセットにして外ケース６０に挿入するようにしてもよい。
【００４０】
吸音ユニットＵＳは、外ケース６０の一対のユニット取付部６７を介してメインハウジング４１，４２の下面にネジ止めされる。図５（ａ）のように第一メインハウジング４１と第二メインハウジング４２の接合部４５を跨ぐように板ナット４６が装着されている。図５（ｂ）にも示しているように、第一メインハウジング４１と第二メインハウジング４２には、それぞれ半割状のナット装着用凹部４７が接合部４５から離れる方向、即ち左右方向に沿って凹設されており、それぞれのナット装着用凹部４７が合わさって一つのナット収容部が形成され、そのナット収容部に板ナット４６が収容されている。従って、板ナット４６は、第一メインハウジング４１と第二メインハウジング４２との接合部４５を跨ぐようにして装着されている。尚、図５（ｂ）は、第一メインハウジング４１のナット装着用凹部４７から板ナット４６を外した状態を示している。第一メインハウジング４１及び第二メインハウジング４２が合成樹脂製であるのに対して板ナット４６は金属製であって強度が大きく耐久性に優れている。板ナット４６は、前後一対配置され、それぞれに外ケース６０のユニット取付部６７の貫通孔を挿通したネジ７７が螺入されることにより吸音ユニットＵＳが取り付けられる。
【００４１】
尚、メインハウジング４１，４２には左右一対の係止部４８が形成されており、メインハウジング４１，４２の左右一対の係止部４８に外ケース６０の一対の係止片６８の係止部６８ａが内側から係止する。係止部４８は、第一メインハウジング４１と第二メインハウジング４２にそれぞれ一カ所ずつ形成されている。このようにメインハウジング４１，４２の係止部４８に外ケース６０の係止片６８の係止部６８ａが係止することで吸音ユニットＵＳをメインハウジング４１，４２に仮止めでき、その仮止め状態で吸音ユニットＵＳをメインハウジング４１，４２に容易にネジ止めできる。また、塵芥収容体は、メインハウジング４１，４２に取り付けられてメインハウジング４１，４２から下側に突出している吸音ユニットＵＳの全体を外側から覆うようにしてバキューム本体１に取り付けられる。
【００４２】
以上のように構成された電動バキュームでは、吸気側の空気流路１３と排気側の空気流路の集塵区間１５にそれぞれ吸音部５０が設けられているので、吸気側の空気流路１３と排気側の空気流路の集塵区間１５における音がそれぞれ吸音部５０によって吸音される。従って、吸気口１０や集塵用の排気口１１から外部に放出される騒音を抑制することができる。
【００４３】
特に、集塵区間１５に吸音部が設けられているので、乱流の影響や落ち葉等の粉砕音の影響等によって騒音が大きくなる排気側の空気流路における騒音を効果的に抑制できる。また、集塵用の排気口１１に近い部分である集塵区間１５に吸音部が設けられているので、集塵用の排気口１１から放出される騒音を効果的に抑制できる。集塵用の排気口１１は作業者に近い開口部分であるので、そこから放出される騒音が集塵区間１５の吸音部によって効果的に抑制されることにより、作業環境を向上させることができる。また更に、吸音部が集塵区間１５の全周に亘って形成されているので、高い吸音効果が得られる。また、吸音部が集塵区間１５の全長に亘って形成されているので、高い吸音効果が得られる。更に、集塵区間１５の吸音部が塵芥収容体によって外側から覆われた状態となるので、集塵用の排気口１１の近傍において特に発生しやすい騒音を、吸音部と塵芥収容体との相乗効果によって効果的に抑制できる。
【００４４】
そして、集塵区間１５に設けられた吸音部は、吸音ユニットＵＳとしてメインハウジング４１，４２に対して着脱可能に構成されているので、吸音部を容易にメンテナンスできる。即ち、メインハウジング４１，４２に形成された排気側の空気流路の開口部に吸音ユニットＵＳを着脱可能に接続させる構成となっているので、メインハウジング４１，４２を分解することなく吸音ユニットＵＳのみをメインハウジング４１，４２から容易に着脱できる。従って、使用者は、メインハウジング４１，４２から吸音ユニットＵＳを取り外すことにより、内筒体６１の連通孔７０を清掃して目詰まりを解消したり、内筒体６１や吸音材６２を交換したりすることができる。また、内筒体６１や吸音材６２が外ケース６０にその上流側の端部である上端部側から挿入されているので、吸音ユニットＵＳをメインハウジング４１，４２に取り付けた状態で内筒体６１や吸音材６２が振動等で不用意にメインハウジング４１，４２から外れたりすることもなく、確実な装着状態が得られる。
【００４５】
尚、本実施形態では、外ケース６０の底面部６３によって吸音室７５の下端を閉塞していたが、外ケース６０の底面部６３に代えて内筒体６１の筒部６９の下端部にフランジ部を形成してそのフランジ部によって吸音室７５の下端を閉塞してもよい。また、外ケース６０の底面部６３と内筒体６１のフランジ部の双方によって吸音室７５の下端を閉塞するようにしてもよい。
【００４６】
＜第二の実施形態＞
次に、本発明の第二の実施形態に係る電動バキュームについて図７〜図１２を参酌しつつ説明する。第一の実施形態では、内壁を構成する内筒体６１と、吸音材６２と、外壁を構成する外ケース６０が吸音ユニットＵＳを構成していて、それら三つの部材がメインハウジング４１，４２から一括的に着脱できる構成であったが、第二の実施形態では、内壁と吸音材８４が吸音ユニットＵＳを構成してその二つの部材がメインハウジング４１，４２から一括的に着脱できる構成とされている。尚、第一の実施形態と共通の構成についてはその説明を省略する。第二の実施形態における電動バキュームは、第一の実施形態の電動バキュームからメインハウジング４１，４２の構成と吸音ユニットＵＳの構成が変更されている。
【００４７】
本実施形態の電動バキュームでは、メインハウジング４１，４２に集塵区間１５の吸音部の外壁が一体的に形成された構成となっており、吸音部の外壁はメインハウジング４１，４２の一部を構成している。メインハウジング４１，４２の下端部には集塵区間１５の長さに対応して筒状部８０が下側に向けて突設されている。該筒状部８０は上下方向の軸線を有しており、図１０のようにその断面形状は、前後方向に長い形状であって、本実施形態ではトラック形状となっているが、長円形状や楕円形状であってもよい。筒状部８０は第一メインハウジング４１と第二メインハウジング４２とが接合することにより筒状に形成されている。本実施形態では、集塵区間１５に前後一対の吸音部が設けられる。筒状部８０の前部と後部がそれぞれ吸音部の外壁を構成している。筒状部８０の左右両側部の内面には、それぞれガイド壁８１が前後一対ずつ突設されている。該ガイド壁８１は、上下方向に沿って延びている。また、図９及び図１１のように、筒状部８０の左右両側部の下部の内面には、それぞれ係止孔８２が前後一対ずつ形成されている。尚、図１１では吸音材８４の図示を省略している。
【００４８】
図９のように、筒状部８０の内側に、カートリッジ型の吸音ユニットＵＳが着脱自在に装着される。吸音ユニットＵＳは前後一対備えられており、互いに同一の構成であって、前後対称に配置されている。尚、図８では二つの吸音ユニットＵＳが断面ではなく外観として示されている。
【００４９】
吸音ユニットＵＳは、吸音ケース８３と、該吸音ケース８３の内側に装着される吸音材８４とから構成される。吸音ケース８３の内部空間が吸音室９０となる。吸音ケース８３は、図１２のように、六面のうちの一面が開放された直方体形状である。従って、吸音ケース８３は、五つの面から構成される。開放された一面を背面としそれと対向する面を正面と称する。正面を構成している正面部８３ａは左右方向の寸法に対して上下方向の寸法が大きい縦長の長方形状であり、正面と背面との間の寸法である前後方向の寸法は、左右方向の寸法や上下方向の寸法よりも小さい。従って、吸音ケース８３は前後方向に薄い薄型のものである。吸音ケース８３の正面部８３ａは吸音部の内壁を構成する面であって平面状であり、その大部分の領域に多数の連通孔８５が形成されている。この連通孔８５も六角形状であって千鳥状に配置されているが、その形状や配置は任意である。正面部８３ａの外面の左右両側部にはそれぞれ上下方向に延びるレール部８６が形成されている。レール部８６は正面部８３ａの外面から背面側に一段の段差状に形成されている。
【００５０】
正面部８３ａの外面の下端中央部には指、特には親指を押し当てるための凹部８７が形成されている。正面部８３ａの内面の中央部には上下方向に沿ってリブ８８が突設されている。左右両側面部８３ｂの下部にはそれぞれ係止片８９が形成されている。係止片８９は、門型のスリットを介して他の部分と分離形成されており、上下方向に所定幅で延びている。係止片８９はその下端部を固定端とし、上端部を自由端として内外方向に弾性変形可能である。係止片８９の上端部の外面に係止部８９ａが突設されている。かかる吸音ケース８３の背面開口部から吸音材８４が吸音ケース８３に挿入される。吸音材８４は吸音ケース８３の内部空間に合わせた形状であって直方体形状とされており、吸音ケース８３に入れられた吸音材８４は吸音ケース８３との間の摩擦力によって吸音ケース８３に保持される。尚、吸音材８４の一面にはリブ８８が挿入可能なスリットを形成しておいてもよい。
【００５１】
図１０のように、筒状部８０の内側に吸音ケース８３が一対挿入される。尚、図１０では吸音材８４の図示は省略されている。一対の吸音ケース８３は、互いの正面部８３ａが対向するようにして前後に配置される。一対の吸音ケース８３の正面部８３ａ同士は互いに前後に離間していて平行関係にあり、その正面部８３ａ同士の間の空間は集塵区間１５となる。筒状部８０には、その左右内面それぞれから内方に向かって突出して左右方向に対向する一対のガイド壁８１が上下方向に延びて形成されており、この左右方向に対向する一対のガイド壁８１をガイドレールとして吸音ケース８３が筒状部８０に挿入される。ガイド壁８１に吸音ケース８３のレール部８６が係合し、左右方向に対向する一対のガイド壁８１の間に吸音ケース８３の正面部８３ａが位置する。これによって吸音ケース８３の左右方向の位置決めとなる。ガイド壁８１と吸音ケース８３の正面部８３ａとは略面一となることが好ましい。また、ガイド壁８１がレール部８６の正面側に当接あるいは若干の隙間を介して対峙し、吸音ケース８３の左右両側面部８３ｂの背面側の端部が、筒状部８０の前部の内面や後部の内面に当接あるいは若干の隙間を介して対峙する。これによって吸音ケース８３の前後方向の位置決めとなる。また、吸音ケース８３の左右一対の係止片８９の係止部８９ａが筒状部８０の係止孔８２の開口縁部に係止して、吸音ケース８３の筒状部８０からの離脱が防止される。
【００５２】
このように筒状部８０に吸音ユニットＵＳが前後一対配置されることで、集塵区間１５に吸音部が前後一対備えられることになる。吸音ユニットＵＳは筒状部８０の下端開口部から筒状部８０の内側に挿脱されるため、メインハウジング４１，４２を分解することなく吸音ユニットＵＳのみをメインハウジング４１，４２に着脱できる。従って、作業者は、吸音ユニットＵＳを筒状部８０から取り外して交換する等、容易にメンテナンスすることができる。また、吸音ユニットＵＳは筒状部８０に係止される構成であるため、吸音ユニットＵＳの着脱に際して工具は不要であり、着脱作業は容易である。また、前後の吸音部が互いに分離した構成であるので、片方の吸音ユニットＵＳのみを交換することもできる。前後共通した吸音ユニットＵＳを使用する構成であるため、吸音ユニットＵＳは一種類で足りる。
【００５３】
尚、上記実施形態では、塵芥収容体として柔軟性を有するダストバッグ２を用いる構成であったが、ハードケース等、種々の構成であってよい。また、塵芥収容体を備えない構成であってもよく、例えばダクトホースの一端側が集塵用の排気口１１に接続される構成であってもよい。尚、ダクトホースを使用する場合には、その他端側にダクトホース内を流れてきた塵芥を集積する装置を接続することができる。
【００５４】
また、吸音材５４，６２，８４は、スポンジに限られず、粒状のもの、例えば粒状の発泡体であってもよいし、フェルトやグラスウール等であってもよい。また、吸音室５３等の全体に亘って吸音材５４等が入れられていなくてもよく、吸音室５３等に吸音材５４等が部分的に入れられていてもよい。
【００５５】
更に、上記実施形態ではブロワ機能を有する装置について説明したが、ブロワ機能を有さず、従って、ブロワ用の排気口１２や切替ドラム６を有していない構成であってもよい。
【符号の説明】
【００５６】
１    バキューム本体
２    ダストバッグ（塵芥収容体）
３    取り付けホルダ（塵芥収容体）
４    モータ
５    ファン
６    電源コード
７    切替ドラム
１０    吸気口
１１    集塵用の排気口
１２    ブロワ用の排気口
１３    吸気側の空気流路
１４    共通区間（排気側の空気流路）
１５    集塵区間（排気側の空気流路）
１６    ブロワ区間（排気側の空気流路）
１７    ノズル部
１８    メインハンドル部
１９    サブハンドル部
２０    バッグ取付部
２１    スイッチ
２２    フック
２３    前側の本体係止部
２４    後側の本体係止部
３０    ファスナー
３１    リング
３２    取り付けベルト
３３    前側のホルダ係止部
３４    後側のホルダ係止部
３５    操作部
３６    ホルダハンドル
４１    第一メインハウジング（本体ハウジング）
４２    第二メインハウジング（本体ハウジング）
４３    第一ノズルハウジング（本体ハウジング）
４４    第二ノズルハウジング（本体ハウジング）
４５    メインハウジングの接合部
４６    板ナット
４７    ナット装着用凹部
４８    係止部
４９    ノズルハウジングの接合部
５０    吸気側の吸音部
５１    内壁
５２    外壁
５３    吸音室
５４    吸音材
５５    隔壁
６０    外ケース
６１    内筒体
６２    吸音材
６３    底面部
６４    貫通孔
６５ａ  長辺側の側面部（筒状の外壁）
６５ｂ  短辺側の側面部（筒状の外壁）
６６    嵌合筒部
６７    ユニット取付部
６８    係止片
６８ａ  係止部
６９    筒部（筒状の内壁）
７０    連通孔
７１    フランジ部
７２    上部嵌合筒部
７３    水平端部
７４    下部嵌合筒部
７５    吸音室
７７    ネジ
８０    筒状部（外壁）
８１    ガイド壁
８２    係止孔
８３    吸音ケース
８３ａ  正面部（内壁）
８３ｂ  側面部
８４    吸音材
８５    連通孔
８６    レール部
８７    凹部
８８    リブ
８９    係止片
８９ａ  係止部
９０    吸音室
ＵＳ    吸音ユニット
【図１】
2019010225.tif 000003
【図２】
2019010225.tif 000004
【図３】
2019010225.tif 000005
【図４】
2019010225.tif 000006
【図５】
2019010225.tif 000007
【図６】
2019010225.tif 000008
【図７】
2019010225.tif 000009
【図８】
2019010225.tif 000010
【図９】
2019010225.tif 000011
【図１０】
2019010225.tif 000012
【図１１】
2019010225.tif 000013
【図１２】
2019010225.tif 000014